(57)【要約】【課題】複合装置の操作性を向上させることができるようにする。【解決手段】第１の画像処理部と、第１の画像処理部の上に、第１の画像処理部に対して揺動自在に配設され、本体部、及び本体部に対して揺動自在に配設された蓋体を備えた第２の画像処理部とを有する。蓋体に被係止部が形成され、本体部に規制部材が揺動自在に配設され、規制部材は、第２の画像処理部の回動に伴って、重力の作用で被係止部と選択的に係止させられる係止部を備える。第２の画像処理部を回動させると、前記被係止部と係止部とが係止させられるので、原稿を第２の画像処理部にセットし、蓋体を閉鎖した状態のまま、第２の画像処理部を回動させて開放したときに、蓋体の回動を規制することができるので、蓋体が開放されることがない。【選択図】図１
2010020353.tif 000002
【特許請求の範囲】
【請求項１】
（ａ）第１の画像処理部と、
（ｂ）該第１の画像処理部の上に、第１の画像処理部に対して揺動自在に配設され、本体部、及び該本体部に対して揺動自在に配設された蓋体を備えた第２の画像処理部とを有するとともに、
（ｃ）前記蓋体に被係止部が形成され、
（ｄ）前記本体部に規制部材が揺動自在に配設され、
（ｅ）該規制部材は、第２の画像処理部の回動に伴って、重力の作用で前記被係止部と選択的に係止させられる係止部を備えることを特徴とする複合装置。
【請求項２】
前記蓋体は、本体部が第１の画像処理部に対して閉鎖位置を採る状態で、前記被係止部と係止部とを係止させることなく、本体部に対して回動させられる請求項１に記載の複合装置。
【請求項３】
前記被係止部は、前記蓋体の揺動中心に隣接させて形成される請求項１に記載の複合装置。
【請求項４】
（ａ）前記第１の画像処理部は画像形成部であり、
（ｂ）前記第２の画像処理部は画像読取部である請求項１に記載の複合装置。
【発明の詳細な説明】
【技術分野】
【０００１】
本発明は、複合装置に関するものである。
【背景技術】
【０００２】
従来、プリンタ、複写機、ファクシミリ装置等のような画像を形成する機能、及びスキャナ等のような画像を読み取る機能を備えた複合装置として、例えば、プリンタ部の上にスキャナ部が配設された複合装置が提供されている。この種の複合装置においては、プリンタ部に対してスキャナ部が揺動自在に配設され、プリンタ部又はスキャナ部のメンテナンス等を行う場合、スキャナ部を回動させるようにしている（例えば、特許文献１参照。）。
【先行技術文献】
【特許文献】
【０００３】
【特許文献１】特開２００５−５３６４８号公報
【発明の概要】
【発明が解決しようとする課題】
【０００４】
しかしながら、前記従来の複合装置においては、スキャナ部に、原稿を読取部に押し付けるためにカバー部材が配設されるようになっているが、スキャナ部をプリンタ部に対して回動させる際に原稿が落下してしまうことがある。したがって、メンテナンスが終了した後に、原稿を再びセットする必要があり、複合装置の操作性が低い。
【０００５】
本発明は、前記従来の複合装置の問題点を解決して、操作性を向上させることができる複合装置を提供することを目的とする。
【課題を解決するための手段】
【０００６】
そのために、本発明の複合装置においては、第１の画像処理部と、該第１の画像処理部の上に、第１の画像処理部に対して揺動自在に配設され、本体部、及び該本体部に対して揺動自在に配設された蓋体を備えた第２の画像処理部とを有する。
【０００７】
そして、前記蓋体に被係止部が形成される。
【０００８】
また、前記本体部に規制部材が揺動自在に配設される。
【０００９】
そして、該規制部材は、第２の画像処理部の回動に伴って、重力の作用で前記被係止部と選択的に係止させられる係止部を備える。
【発明の効果】
【００１０】
本発明によれば、複合装置においては、第１の画像処理部と、該第１の画像処理部の上に、第１の画像処理部に対して揺動自在に配設され、本体部、及び該本体部に対して揺動自在に配設された蓋体を備えた第２の画像処理部とを有する。
【００１１】
そして、前記蓋体に被係止部が形成される。
【００１２】
また、前記本体部に規制部材が揺動自在に配設される。
【００１３】
そして、該規制部材は、第２の画像処理部の回動に伴って、重力の作用で前記被係止部と選択的に係止させられる係止部を備える。
【００１４】
この場合、第２の画像処理部を回動させると、前記被係止部と係止部とが係止させられるので、原稿を第２の画像処理部にセットし、蓋体を閉鎖した状態のまま、第２の画像処理部を回動させて開放したときに、蓋体の回動を規制することができるので、蓋体が開放されることがない。
【００１５】
したがって、蓋体が破損するのを防止することができるだけでなく、原稿が落下することがない。
【図面の簡単な説明】
【００１６】
【図１】本発明の説明の前提となる第１の技術の形態における複合装置の要部を示す部分断面図である。
【図２】本発明の説明の前提となる第１の技術の形態における複合装置の斜視図である。
【図３】本発明の説明の前提となる第１の技術の形態における複合装置の断面図である。
【図４】本発明の説明の前提となる第１の技術の形態における複合装置の背面図である。
【図５】本発明の説明の前提となる第１の技術の形態における複合装置の正面図である。
【図６】図５のＸ−Ｘ断面図である。
【図７】本発明の説明の前提となる第１の技術の形態における複合装置の平面図である。
【図８】本発明の説明の前提となる第１の技術の形態におけるストッパの斜視図である。
【図９】本発明の説明の前提となる第１の技術の形態における複合装置の動作を示す第１の図である。
【図１０】本発明の説明の前提となる第１の技術の形態におけるストッパの動作を示す拡大図である。
【図１１】本発明の説明の前提となる第１の技術の形態における複合装置の動作を示す第２の図である。
【図１２】本発明の説明の前提となる第１の技術の形態におけるストッパの軌跡を示す図である。
【図１３】本発明の説明の前提となる第２の技術の形態における複合装置の要部を示す部分断面図である。
【図１４】本発明の説明の前提となる第２の技術の形態における複合装置の動作を示す第１の図である。
【図１５】本発明の説明の前提となる第２の技術の形態における複合装置の動作を示す第２の図である。
【図１６】本発明の実施の形態における複合装置の正面図である。
【図１７】本発明の実施の形態における複合装置の動作を示す第１の図である。
【図１８】本発明の実施の形態における複合装置の動作を示す第２の図である。
【図１９】本発明の実施の形態における複合装置の動作を示す第３の図である。
【図２０】本発明の実施の形態における位置固定レバーの動作を示す第１の図である。
【図２１】本発明の実施の形態における複合装置の動作を示す第４の図である。
【図２２】本発明の実施の形態における位置固定レバーの動作を示す第２の図である。
【発明を実施するための形態】
【００１７】
以下、本発明の実施の形態について図面を参照しながら詳細に説明する。この場合、プリンタ等のような画像を形成する機能、及びスキャナのような画像を読み取る機能を備えた複合装置について説明する。
【００１８】
図１は本発明の説明の前提となる第１の技術の形態における複合装置の要部を示す部分断面図、図２は本発明の説明の前提となる第１の技術の形態における複合装置の斜視図、図３は本発明の説明の前提となる第１の技術の形態における複合装置の断面図、図４は本発明の説明の前提となる第１の技術の形態における複合装置の背面図、図５は本発明の説明の前提となる第１の技術の形態における複合装置の正面図、図６は図５のＸ−Ｘ断面図、図７は本発明の説明の前提となる第１の技術の形態における複合装置の平面図、図８は本発明の説明の前提となる第１の技術の形態におけるストッパの斜視図である。
【００１９】
図において、１１は複合装置であり、該複合装置１１は、画像を形成する機能を備えた第１の画像処理部としての、かつ、画像形成部としてのプリンタ部１２、及び該プリンタ部１２の上に、プリンタ部１２に対して揺動自在に配設され、画像を読み取る機能を備えた第２の画像処理部としての、かつ、画像読取部としてのスキャナ部１３を備え、前記プリンタ部１２は、スキャナ部１３をプリンタ部１２上に搭載するための接続部材としてのステイ１２ａを備える。
【００２０】
前記プリンタ部１２は、電子写真方式を使用して画像を形成するための機構部１４を備え、該機構部１４は、画像処理媒体としての図示されない用紙に、イエロー、マゼンタ、シアン及びブラックの各色の画像を形成し、記録する。前記機構部１４は、ＬＥＤタンデムカラー方式によって画像を形成するようになっているが、レーザ方式、インクジェット方式、ドットインパクト方式等の方式によって画像を形成することができる。
【００２１】
また、前記機構部１４は、用紙を収納する用紙カセット１６、各色の画像形成ユニットとしての印字プロセスカートリッジ２０、露光装置としての図示されない印字ヘッド、転写部材としての転写ローラ２１、定着装置としての定着器２２、及び用紙をプリンタ部１２外に排出する排出ユニット２３を有し、各印字プロセスカートリッジ２０は、像担持体としての感光体ドラム１７、帯電装置としての帯電ローラ１８、現像剤担持体としての図示されない現像ローラ、現像剤収容部としてのトナーカートリッジ１９等を備える。
【００２２】
前記帯電ローラ１８は、感光体ドラム１７の表面を帯電させ、印字ヘッドは、ＬＥＤ光を感光体ドラム１７の表面に照射し、感光体ドラム１７の表面に静電潜像を形成する。そして、前記現像ローラは、トナーカートリッジ１９から供給された現像剤としてのトナーを感光体ドラム１７に付着させ、静電潜像を現像し、現像剤像としてのトナー像を形成する。
【００２３】
一方、用紙は、用紙カセット１６から繰り出されて搬送され、各感光体ドラム１７と転写ローラ２１との間の転写部に送られ、該各転写部において、転写ローラ２１は、感光体ドラム１７に形成された各色のトナー像を順次用紙に転写し、カラーのトナー像を形成する。続いて、用紙は、定着器２２に送られ、該定着器２２において、カラーのトナー像が用紙に定着させられ、カラー画像が形成される。次に、用紙は、排出ユニット２３によってプリンタ部１２外に排出される。
【００２４】
また、前記スキャナ部１３は、本体部としてのフラットベッド２５、及びフラットベッド２５に対して揺動自在に配設された蓋体としてのドキュメントカバー２６等を備え、該ドキュメントカバー２６には、複数枚の画像処理媒体としての原稿を自動的に順次供給することができるようにしたＡＤＦ（自動原稿搬送装置）３３が配設される。前記フラットベッド２５は、副走査線方向に往復移動が可能にされたキャリッジ部２７、及び原稿を載置するための原稿読取面２８を備え、前記キャリッジ部２７は、原稿読取面２８に載置された原稿の走査線上の画像を読み取るイメージセンサユニット２９を備え、該イメージセンサユニット２９は、読み取った画像のデータ、すなわち、画像データを電気信号に変換し、プリンタ部１２に送る。そして、プリンタ部１２において、画像データに基づいて、画像を形成することができる。
【００２５】
また、前記ステイ１２ａは、スキャナ部１３を揺動自在に支持する支点を構成するシャフト３１を備え、フラットベッド２５は、前記シャフト３１と平行に配設され、ドキュメントカバー２６をスキャナ部１３と同じ方向に、揺動自在に支持する支点を構成するシャフト３２を備える。
【００２６】
そして、２４は、シャフト３２の外周に配設され、ドキュメントカバー２６の回動を規制するための規制部材としてのストッパである。スキャナ部１３の後端面Ｓａから後方に突出させてブラケットＢｒ１が形成され、該ブラケットＢｒ１に、前記シャフト３１、３２と平行に、支点を構成するシャフト３６が配設され、前記ストッパ２４は、シャフト３６によって、ドキュメントカバー２６と同じ方向に回動自在に支持される。
【００２７】
前記ストッパ２４は、頂壁２４ａ、該頂壁２４ａの両端から下方に延びる側壁２４ｂ、２４ｃ、及び前記頂壁２４ａの後縁から斜め下方に延び、各側壁２４ｂ、２４ｃの後縁を連結する後壁２４ｄを備える。前記各側壁２４ｂ、２４ｃは、上端から下方に垂直に延びる第１の縁部ｅ１、該第１の縁部ｅ１の下端よりわずかに後方から下方に垂直に延びる第２の縁部ｅ２、該第２の縁部ｅ２の下端から斜め後方に直線状に延びる第３の縁部ｅ３、及び第３の縁部ｅ３の下端から斜め後方に湾曲して弧状に延びる第４の縁部ｅ４を備える。また、前記頂壁２４ａの前端に当接部４１が、後壁２４ｄの下端に被案内部４２が形成される。
【００２８】
そして、前記ストッパ２４は、スキャナ部１３を閉鎖したまま、ドキュメントカバー２６を回動させたときに、第１の状態を採り、ドキュメントカバー２６と摺動して、かつ、スキャナ部１３に対して相対的に回動させられる。そのために、前記第１の縁部ｅ１とドキュメントカバー２６の後端面Ｓｂとが当接させられる。また、第１の縁部ｅ１より下方においては、第２の縁部ｅ２が第１の縁部ｅ１の下端よりわずかに後方（図１における左側）から下方に延びるので、第２の縁部ｅ２と後端面Ｓａとの間に、間隙Ｉが形成される。例えば、ドキュメントカバー２６とフラットベッド２５との取付け誤差、部品の寸法のばらつき等によって、後端面Ｓａが後端面Ｓｂより後方（図１における左側）に突出した場合でも、間隙Ｉが形成されるので、ストッパ２４の上端面である当接部４１及び第１の縁部ｅ１と後端面Ｓｂとを確実に当接させることができる。
【００２９】
そして、前記ストッパ２４は、スキャナ部１３及びドキュメントカバー２６を回動させて開放するときに、第２の状態を採り、スキャナ部１３と一体的に回動させられる。そして、前記スキャナ部１３及びドキュメントカバー２６を回動させるときに、前記第１の縁部ｅ１が常に後端面Ｓｂと当接するように、付勢部材としてのトーションスプリング４０が配設され、シャフト３６に取り付けられる。前記トーションスプリング４０は、第１、第２のアームａｍ１、ａｍ２を備え、第１のアームａｍ１が後壁２４ｄに、第２のアームがブラケットＢｒ１に係止させられ、ストッパ２４を図１における時計回り方向に付勢する。
【００３０】
本技術の形態において、ドキュメントカバー２６に前記ＡＤＦ３３が備えられるので、前記ドキュメントカバー２６の重心位置Ｂは、中央よりＡＤＦ３３側に変位した位置になる。そして、ストッパ２４は、図６及び７に示されるように、シャフト３２の軸方向において、重心位置Ｂと同様に、中央よりＡＤＦ３３側に変位した位置に、後端面Ｓａと対向させて配設される。すなわち、ストッパ２４は、スキャナ部１３の前端面１３ｄ及び側面１３ｂ、１３ｃには配設されないので、スキャナ部１３の前端面１３ｄ又は側面１３ｂ及び１３ｃからはみ出るような、原稿読取面２８又はフラットベッド２５より大きい原稿をセットしても原稿を傷つけることがない。
【００３１】
ところで、前記ステイ１２ａは、図２に示されるように、「Ｌ」字状の形状を有し、後端部１２ｂが上方に向けて突出させて形成され、該後端部１２ｂの前記ストッパ２４に対応する部分には、サポート部４３が上方に突出させて形成され、該サポート部４３は、被案内部４２を案内する案内部として機能するとともに、ストッパ２４を押さえ、ストッパ２４がシャフト３６を中心に回動するのを阻止する押え部として機能する。そのために、前記サポート部４３の後端には、前記被案内部４２及び第４の縁部ｅ４を案内するための、凸面から成る第１の案内面としてのサポート面３８が形成され、該サポート面３８は円Ｓの形状に対応させて弧状に形成される。前記円Ｓはシャフト３１を中心にして設定される。
【００３２】
なお、前記ストッパ２４及びサポート部４３によって回動規制部が構成される。
【００３３】
そして、スキャナ部１３が回動させられると、ストッパ２４が一体的に回動させられ、前記被案内部４２及び第４の縁部ｅ４は、サポート面３８に沿って摺動して移動する。そのために、前記第４の縁部ｅ４は、前記円Ｓの形状に対応させて弧状に形成される。なお、前記サポート部４３の上面には、凹面から成る第２の案内面としての対向面３９が形成され、該対向面３９は弧状に形成される。
【００３４】
このように、スキャナ部１３が回動させられるのに伴って、被案内部４２がサポート面３８に沿って摺動して移動するので、ストッパ２４が回動しない。したがって、スキャナ部１３を回動させる際に、ドキュメントカバー２６が、回動することがなくなり、開かれるのを防止することができる。
【００３５】
また、図１に示されるように、プリンタ部１２に対してスキャナ部１３が閉鎖位置を採り、スキャナ部１３に対してドキュメントカバー２６が閉鎖位置を採る状態で、被案内部４２とサポート部４３との間に、１．０〔ｍｍ〕〜１．５〔ｍｍ〕の間隙ＣＬ１が形成される。
【００３６】
次に、前記構成の複合装置１１の動作について説明する。
【００３７】
図９は本発明の説明の前提となる第１の技術の形態における複合装置の動作を示す第１の図、図１０は本発明の説明の前提となる第１の技術の形態におけるストッパの動作を示す拡大図、図１１は本発明の説明の前提となる第１の技術の形態における複合装置の動作を示す第２の図、図１２は本発明の説明の前提となる第１の技術の形態におけるストッパの軌跡を示す図である。
【００３８】
前記フラットベッド２５に原稿をセットしたり、原稿を入れ換えたりするために、ドキュメントカバー２６を、シャフト３２を中心に回動させて開放すると、前記ストッパ２４は、ドキュメントカバー２６によって押され、第１の縁部ｅ１とドキュメントカバー２６の後端面Ｓｂとを摺動させた状態で、シャフト３６を中心にして、図９における反時計回りに回動させられる。これに伴って、前記被案内部４２は、間隙ＣＬ１を形成したまま、対向面３９と対向し、二点鎖線で示された軌跡に沿って回動させられる。そして、第３の縁部ｅ３とスキャナ部１３の後端面Ｓａとが当接すると、それ以上のドキュメントカバー２６の回動が規制される。なお、前記後端面Ｓａは、ドキュメントカバー２６の回動を規制する規制部として機能する。
【００３９】
ところで、図１０に示されるように、ストッパ２４は、ドキュメントカバー２６が閉鎖されたときの、二点鎖線で表される初期位置と、ドキュメントカバー２６が最大限開放されたときの、実線で表される開放位置とを採る。そして、ストッパ２４における第１の縁部ｅ１と第３の縁部ｅ３とが成す角度をθとし、ストッパ２４が初期位置に置かれたときの第３の縁部ｅ３と後端面Ｓａとが成す角度をＣとすると、角度Ｃは、
Ｃ＝１８０−θ〔°〕
になる。また、最大限開放されたときのドキュメントカバー２６の傾き、すなわち、ドキュメントカバー２６の下面と原稿読取面２８とが成す角度をＥとすると、ストッパ２４が開放位置に置かれたときの第１の縁部ｅ１と後端面Ｓａとが成す角度がＥになる。
【００４０】
本技術の形態においては、前記ドキュメントカバー２６が最大限開放されたときに、第３の縁部ｅ３と後端面Ｓａとが面接触するように角度θが設定される。したがって、角度Ｃと角度Ｅとは等しくされる。
【００４１】
本技術の形態においては、例えば、角度θは１１５〔°〕にされ、角度Ｃ、Ｅは６５〔°〕にされる。したがって、前記ドキュメントカバー２６を０〔°〕より大きく、かつ、６５〔°〕以下の範囲の任意の角度で開放することができる。
【００４２】
なお、角度Ｃを角度Ｅより大きくすることができる。その場合、前記ドキュメントカバー２６が最大限開放されたときに、第２、第３の縁部ｅ２、ｅ３間の境界の稜線部と後端面Ｓａとが線接触する。
【００４３】
ところで、プリンタ部１２又はスキャナ部１３のメンテナンス等を行う場合、スキャナ部１３は、シャフト３１を中心に回動させられ、開放される。
【００４４】
このとき、前記ストッパ２４は、スキャナ部１３と一体的に回動させられ、被案内部４２及び第４の縁部ｅ４は、サポート部４３の外側においてサポート面３８に当接させられ、サポート面３８と摺動させられる。したがって、ストッパ２４がシャフト３６を中心にして回動するのが規制されるので、スキャナ部１３を回動させ、開放する間、ドキュメントカバー２６がスキャナ部１３に対して回動し、開放されることがない。
【００４５】
この場合、スキャナ部１３を開放する際のストッパ２４の回動軌跡を図１２に示す。スキャナ部１３を１０〔°〕回動させると、被案内部４２がサポート面３８との接触を開始し、ドキュメントカバー２６の開放を阻止する（なお、スキャナ部１３の回動が１０〔°〕未満である場合、ドキュメントカバー２６が重力で開放されることはない。）。そして、スキャナ部１３を更に開放し続けた場合、被案内部４２及び第４の縁部ｅ４は、サポート面３８に接触し、摺動させられて円Ｓに沿って移動する。スキャナ部１３を最大限開放したときのスキャナ部１３の傾き（スキャナ部１３の下面とステイ１２ａとが成す角度）をＦとすると、前記ストッパ２４は角度Ｆだけ回動させられる。本技術の形態において、角度Ｆは６５〔°〕にされる。なお、スキャナ部１３は最大限開放されると、図示されないストッパによって回動が規制される。
【００４６】
図１２において、Ｑはスキャナ部１３を回動させたときの被案内部４２の軌跡を表す円である。円Ｓの半径をｒｓとし、円Ｑの半径をｒｑとすると、
ｒｑ＞ｒｓ
にされる。なお、本技術の形態において、半径ｒｑは２２．６〔ｍｍ〕にされ、半径ｒｓは１２．４〔ｍｍ〕にされる。
【００４７】
このように、本技術の形態においては、スキャナ部１３を回動させるときに、ストッパ２４がスキャナ部１３の回動に伴って回動させられ、ドキュメントカバー２６の回動を規制するので、ドキュメントカバー２６が開くことがない。したがって、ドキュメントカバー２６が破損するのを防止することができるだけでなく、原稿が落下することがない。
【００４８】
また、ストッパ２４は、スキャナ部１３の回動に伴ってドキュメントカバー２６の回動を規制するので、手動で操作する必要がなく、複合装置１１の操作性を向上させることができる。
【００４９】
次に、本発明の説明の前提となる第２の技術の形態について説明する。なお、第１の技術の形態と同じ構造を有するものについては、同じ符号を付与することによってその説明を省略し、同じ構造を有することによる発明の効果については同技術の形態の効果を援用する。
【００５０】
図１３は本発明の説明の前提となる第２の技術の形態における複合装置の要部を示す部分断面図である。
【００５１】
図において、５１は、第２の画像処理部としての、かつ、画像読取部としてのスキャナ部１３の後方に配設され、ドキュメントカバー２６の回動を規制する規制部材としてのストッパであり、該ストッパ５１は、シャフト３６によって、ドキュメントカバー２６と同じ方向に揺動自在に支持される。
【００５２】
前記ストッパ５１は、頂壁５１ａ、該頂壁５１ａの両端から下方に延びる側壁５１ｂ、５１ｃ（側壁５１ｂは、図８の側壁２４ｂと同様に図の手前側にあり、図１３においては示されていない。）、及び前記頂壁５１ａの後縁から斜め下方に延び、各側壁５１ｂ、５１ｃの後縁を連結する後壁５１ｄを備える。前記各側壁５１ｂ、５１ｃは、上端から下方に垂直に延びる第１の縁部ｅ１、該第１の縁部ｅ１の下端よりわずかに後方から下方に垂直に延びる第２の縁部ｅ２、該第２の縁部ｅ２の下端から斜め後方に直線状に延びる第３の縁部ｅ３、及び第３の縁部ｅ３の下端から斜め後方に湾曲して弧状に延びる第４の縁部ｅ４を備える。また、前記頂壁５１ａの前端に当接部５２が、後壁５１ｄの下端に被案内部５３が形成される。さらに、前記後壁５１ｄの下端の近傍に、外方に向けて開口する凹部５５が形成され、該凹部５５によって縁部５４が形成される。前記被案内部５３及び縁部５４は、シャフト３６を中心とした同じ円Ｒ上に配設される。
【００５３】
そして、スキャナ部１３が回動させられると、ストッパ５１が一体的に回動させられ、前記被案内部５３及び第４の縁部ｅ４は、第１の案内面としてのサポート面３８に沿って摺動して移動する。そのために、前記サポート面３８及び第４の縁部ｅ４は、前記円Ｓ（図１）の形状に対応させて弧状に形成される。なお、前記サポート部４３の上面には、凹面から成る第２の案内面としての対向面３９が形成され、該対向面３９は弧状に形成される。この場合、前記凹部５５内にサポート部４３を収容することができるように、対向面３９の周方向長さは、第１の技術の形態より短くされる。また、前記対向面３９は、前記円Ｒと共通の中心を備え、同心円状に形成され、円Ｒとの間に環状の間隙ＣＬ２が形成される。
【００５４】
この場合、スキャナ部１３が回動させられるのに伴って、被案内部５３がサポート面３８に沿って摺動して移動するので、ストッパ５１が回動しない。したがって、スキャナ部１３を回動させる際にドキュメントカバー２６が回動し、開かれるのを防止することができる。
【００５５】
また、図に示されるように、プリンタ部１２に対してスキャナ部１３が閉鎖位置を採り、スキャナ部１３に対してドキュメントカバー２６が閉鎖位置を採る状態で、被案内部５３とサポート部４３との間に、１．０〔ｍｍ〕〜１．５〔ｍｍ〕の間隙ＣＬ１（（図１）が形成される。
【００５６】
次に、前記構成の複合装置１１の動作について説明する。
【００５７】
図１４は本発明の説明の前提となる第２の技術の形態における複合装置の動作を示す第１の図、図１５は本発明の説明の前提となる第２の技術の形態における複合装置の動作を示す第２の図である。
【００５８】
図１４は、画像処理媒体としての、一般的にブック原稿といわれる厚手の原稿６１を、第２の画像処理部としての、かつ、画像読取部としてのスキャナ部１３のフラットベッド２５にセットしてドキュメントカバー２６を閉じた状態を示す。前記原稿６１をフラットベッド２５にセットした場合、ドキュメントカバー２６を完全に閉鎖することができず、このとき、ドキュメントカバー２６の下面と原稿読取面２８とが成す角度をＧとすると、規制部材としてのストッパ５１は、シャフト３６を中心にして回動し、第１の縁部ｅ１と後端面Ｓａとが成す角度もＧになる。
【００５９】
そして、ストッパ５１の回動に伴い、被案内部５３は、円Ｒ（図１３）上を移動し、サポート部４３より内側（スキャナ部１３側）の位置に置かれる。
【００６０】
次に、原稿６１を、スキャナ部１３のフラットベッド２５にセットしてドキュメントカバー２６を閉鎖した状態のまま、スキャナ部１３を回動させて開放すると、図１５に示されるように、凹部５５内に案内部としての、かつ、押え部としてのサポート部４３が進入させられ、凹部５５の内周面がサポート面３８に当接させられる。したがって、ストッパ５１のそれ以上の回動が規制され、ドキュメントカバー２６が更に回動して開放されるのを防止することができる。
【００６１】
なお、本技術の形態においては、凹部５５が一つだけ形成されるようになっているが、二つ以上形成することができる。その場合、ストッパ５１の回動を複数箇所で阻止することができる。したがって、原稿６１の厚さが異なっても、原稿６１を、スキャナ部１３のフラットベッド２５にセットしてドキュメントカバー２６を閉鎖した状態のまま、スキャナ部１３を回動させて開放することができる。
【００６２】
このように、本技術の形態においては、原稿６１を、スキャナ部１３のフラットベッド２５にセットしてドキュメントカバー２６を閉鎖した状態のまま、スキャナ部１３を回動させて開放したときに、ドキュメントカバー２６の回動を規制することができるので、ドキュメントカバー２６が開くことがない。したがって、ドキュメントカバー２６が破損するのを防止することができるだけでなく、原稿が落下することがない。
【００６３】
次に、本発明の実施の形態について説明する。なお、第１の技術の形態と同じ構造を有するものについては説明を省略し、同じ構造を有することによる発明の効果については同技術の形態の効果を援用する。
【００６４】
図１６は本発明の実施の形態における複合装置の正面図、図１７は本発明の実施の形態における複合装置の動作を示す第１の図、図１８は本発明の実施の形態における複合装置の動作を示す第２の図、図１９は本発明の実施の形態における複合装置の動作を示す第３の図、図２０は本発明の実施の形態における位置固定レバーの動作を示す第１の図、図２１は本発明の実施の形態における複合装置の動作を示す第４の図、図２２は本発明の実施の形態における位置固定レバーの動作を示す第２の図である。
【００６５】
図において、１１は複合装置であり、該複合装置１１は、第１の画像処理部としての、かつ、画像形成部としてのプリンタ部１２、及び第２の画像処理部としての、かつ、画像読取部としてのスキャナ部１３を備え、前記プリンタ部１２は、スキャナ部１３をプリンタ部１２上に搭載するための接続部材としてのトップカバー７１を備える。該トップカバー７１は、シャフト９１を中心に揺動自在に配設され、トップカバー７１を閉鎖位置に置くと、スキャナ部１３は実線で示される閉鎖位置に置かれ、トップカバー７１を開放位置に置くと、スキャナ部１３は破線で示される開放位置に置かれる。
【００６６】
７４はストッパユニットであり、図１６に示される複合装置１１の手前側を正面としたときに、該ストッパユニット７４は、複合装置１１の図１６における左側面に、すなわち、トップカバー７１の揺動中心であるシャフト９１及びドキュメントカバー２６の揺動中心であるシャフト３２（図１７）が配設される側に固定される。そして、前記ストッパユニット７４は、規制部材としてのおもりユニット７６及び該おもりユニット７６を包囲する外装部材８６を備える。前記おもりユニット７６は、おもり部７７及び該おもり部７７を支持するおもり支持部７８を備え、該おもり支持部７８は、前記外装部材８６に対して、回転軸８２を揺動中心にして揺動自在に配設される。そして、前記おもり支持部７８の一方（上方）の端部に、突起から成る係止部７８ａが形成される。
【００６７】
また、７９はドキュメントカバー２６の下部に取り付けられた被係止部としての位置固定レバーであり、該位置固定レバー７９に第１、第２のレバー部７９ａ、７９ｂが突出させて形成され、該第１、第２のレバー部７９ａ、７９ｂ間に凹部８１が形成される。そして、ドキュメントカバー２６はシャフト３２を揺動中心にして、スキャナ部１３に対して揺動自在に配設される。
【００６８】
なお、前記おもりユニット７６及び位置固定レバー７９によって回動規制部が構成される。
【００６９】
次に、前記構成の複合装置１１の動作について説明する。
【００７０】
図１７に示されるように、スキャナ部１３及びドキュメントカバー２６が閉鎖されている状態（スキャナ部１３が閉鎖されている場合、トップカバー７１も閉鎖されている。）において、おもりユニット７６は第１の状態に置かれ、この状態から、図１８に示されるように、スキャナ部１３が閉鎖されたまま、ドキュメントカバー２６が回動させられ、開放される場合、位置固定レバー７９はドキュメントカバー２６と一体的に係止部７８ａと接触することなく、回動させられる。このように、スキャナ部１３及びトップカバー７１が閉鎖されている場合、ドキュメントカバー２６の回動が許容され、ドキュメントカバー２６を開放することができる。
【００７１】
そして、ドキュメントカバー２６が閉鎖された状態でトップカバー７１を回動させ、開放していくと、図１９に示されるように、スキャナ部１３は回動し、傾斜させられる。このとき、スキャナ部１３の回動に伴って、おもりユニット７６は、おもり部７７が回動軸８２の重力方向下方（鉛直方向下方）に位置するように回動する。それに伴って、おもりユニット７６は第２の状態に置かれ、係止部７８ａが位置固定レバー７９に近接する。
【００７２】
そして、トップカバー７１を更に回動させ、開放すると、図２１及び２２に示されるように、スキャナ部１３は更に回動し、傾斜させられる。このとき、おもりユニット７６は、おもり部７７が回動軸８２の重力方向下方に位置するように更に回動する。それに伴って、係止部７８ａが、回動軸８２を回動中心にして更に移動し、位置固定レバー７９の下方に位置させられる。例えば、スキャナ部１３において、本等の厚い原稿を本体部としてのフラットベッド２５にセットした状態のまま、スキャナ１３を回動させ、開放しようとすると、図２０において破線で示されるように、前記凹部８１に係止部７８ａが進入するので、ドキュメントカバー２６の回動を規制することができる。
【００７３】
その結果、おもり支持部７８によってドキュメントカバー２６の回転が規制される。
【００７４】
このように、本実施の形態においては、原稿を、スキャナ部１３のフラットベッド２５にセットしてドキュメントカバー２６を閉鎖した状態のまま、スキャナ部１３を回動させて開放したときに、位置固定レバー７９の第１のレバー部７９ａによってドキュメントカバー２６の回動を規制することができるので、ドキュメントカバー２６が開放されることがない。
【００７５】
また、スキャナ部１３を大きく開放したときに、位置固定レバー７９の第２のレバー部７９ｂによってドキュメントカバー２６の回動を規制することができるので、ドキュメントカバー２６が開放されることがない。
【００７６】
したがって、ドキュメントカバー２６が破損するのを防止することができるだけでなく、原稿が落下することがない。
【００７７】
前記各技術の形態及び実施の形態においては、プリンタ部１２の上にスキャナ部１３を配設した複合装置１１について説明したが、本発明を、プリンタ以外の複写機、ファクシミリ等の画像形成部の上にスキャナ部を配設した複合装置に適用したり、原稿読取部の上に画像形成部を配設した複合装置に適用したりすることができる。
【００７８】
なお、本発明は前記実施の形態に限定されるものではなく、本発明の趣旨に基づいて種々変形させることが可能であり、それらを本発明の範囲から排除するものではない。
【符号の説明】
【００７９】
１１    複合装置
１２    プリンタ部
１３    スキャナ部
２４、５１    ストッパ
２５    フラットベッド
２６    ドキュメントカバー
７６    おもりユニット
７８ａ    係止部
７９    位置固定レバー
【図１】
2010020353.tif 000003
【図２】
2010020353.tif 000004
【図３】
2010020353.tif 000005
【図４】
2010020353.tif 000006
【図５】
2010020353.tif 000007
【図６】
2010020353.tif 000008
【図７】
2010020353.tif 000009
【図８】
2010020353.tif 000010
【図９】
2010020353.tif 000011
【図１０】
2010020353.tif 000012
【図１１】
2010020353.tif 000013
【図１２】
2010020353.tif 000014
【図１３】
2010020353.tif 000015
【図１４】
2010020353.tif 000016
【図１５】
2010020353.tif 000017
【図１６】
2010020353.tif 000018
【図１７】
2010020353.tif 000019
【図１８】
2010020353.tif 000020
【図１９】
2010020353.tif 000021
【図２０】
2010020353.tif 000022
【図２１】
2010020353.tif 000023
【図２２】
2010020353.tif 000024